(57)【要約】  【課題】  表示対象の情報を見やすく表示できる情報表示装置を提供する。  【解決手段】  情報表示装置１は、フロントガラスの表示領域に情報を投影する投影装置１０と、乗員が表示領域を通して見る景色を撮像するカメラ１２と、カメラ１２にて撮像した画像の中で表示領域に対応する部分の色情報を取得する背景色情報取得部１８と、背景色情報取得部１８にて取得した色情報に対して、１０１以上の色差を有する表示色を決定する表示色決定部２０と、投影装置１０を制御して、表示領域に、表示色を用いて情報を投影する表示制御部２２とを備える。【選択図】  図２
2014015127.tif 000002
【特許請求の範囲】
【請求項１】
車両の窓の所定の表示領域に情報を投影する投影装置と、
乗員が前記表示領域を通して見る景色を撮像するカメラと、
前記カメラにて撮像した画像の中で前記表示領域に対応する部分の色情報を取得する背景色情報取得部と、
前記背景色情報取得部にて取得した前記色情報に対して、所定の閾値以上の色差を有する表示色を決定する表示色決定部と、
前記投影装置を制御して、前記表示領域に、前記表示色を用いて前記情報を投影する表示制御部と、
を備える情報表示装置。
【請求項２】
車両のピラーに設けられたディスプレイと、
乗員から見て前記ピラーの方向にある景色を撮像するカメラと、
前記カメラにて撮像した画像から、前記乗員から見て前記ディスプレイの位置に対応する部分の画像を切り出して前記ディスプレイに表示する表示制御部と、
前記切り出した画像の色情報を取得する背景色情報取得部と、
前記背景色情報取得部にて取得した色情報に対して、所定の閾値以上の色差を有する表示色を決定する表示色決定部と、
を備え、
前記表示制御部は、前記ディスプレイに、前記表示色を用いて前記情報を重畳して表示する情報表示装置。
【請求項３】
前記表示色決定部は、前記表示色として、前記背景色情報取得部にて取得した色情報に対して１０１以上の色差を有する色を決定する請求項１または２に記載の情報表示装置。
【請求項４】
前記表示色決定部は、前記表示色のＬ値ｆｇＬ、ａ値ｆｇａ、ｂ値ｆｇｂを、前記背景色情報のＬ値ｂｇＬ、ａ値ｂｇａ、ｂ値ｂｇｂを用いて、次の式で求める請求項１乃至３のいずれかに記載の情報表示装置。
【数１】
2014015127.tif 000005
【請求項５】
前記表示色決定部は、背景色と所定の閾値以上の色差を有する複数の表示色の組合せを求め、優先度の高い情報に対して背景色との色差の大きい表示色を割り当て、優先度の低い情報に対して背景色との色差の小さい表示色を割り当てる請求項１乃至３のいずれかに記載の情報表示装置。
【請求項６】
ＲＧＢ値とＬａｂ値とを変換するテーブルを有し、
前記表示色決定部および前記表示制御部は、前記テーブルを参照してＲＧＢ値とＬａｂ値とを変換する請求項１乃至５のいずれかに記載の情報表示装置。
【請求項７】
情報表示装置によって車両の窓の所定の表示領域に情報を投影する情報表示方法であって、
前記情報表示装置が、乗員が前記表示領域を通して見る景色をカメラで撮像するステップと、
前記情報表示装置が、前記カメラにて撮像した画像の中で前記表示領域に対応する部分の色情報を取得するステップと、
前記情報表示装置が、取得した前記色情報に対して、所定の閾値以上の色差を有する表示色を決定するステップと、
前記情報表示装置が、前記表示領域に前記表示色を用いて前記情報を投影するように投影装置を制御するステップと、
を備える情報表示方法。
【請求項８】
情報表示装置によって車両のピラーに設けられたディスプレイに情報を表示する情報表示方法であって、
前記情報表示装置が、乗員から見て前記ピラーの方向にある景色をカメラで撮像するステップと、
前記情報表示装置が、前記カメラにて撮像した画像から、乗員から見て前記ディスプレイの位置に対応する部分の画像を切り出して前記ディスプレイに表示するステップと、
前記情報表示装置が、前記切り出した画像の色情報を取得するステップと、
前記情報表示装置が、前記背景色情報取得部にて取得した色情報に対して、所定の閾値以上の色差を有する表示色を決定するステップと、
前記情報表示装置が、前記ディスプレイに、前記表示色を用いて前記情報を重畳して表示するステップと、
を備える情報表示方法。
【請求項９】
車両の窓の所定の表示領域に情報を投影するためのプログラムであって、カメラを備えたコンピュータに、
乗員が前記表示領域を通して見る景色を前記カメラで撮像するステップと、
前記カメラにて撮像した画像の中で前記表示領域に対応する部分の色情報を取得するステップと、
取得した前記色情報に対して、所定の閾値以上の色差を有する表示色を決定するステップと、
前記表示領域に前記表示色を用いて前記情報を投影するように投影装置を制御するステップと、
を実行させるプログラム。
【請求項１０】
車両のピラーに設けられたディスプレイに情報を表示するためのプログラムであって、カメラを備えたコンピュータに、
乗員から見て前記ピラーの方向にある景色を前記カメラで撮像するステップと、
前記カメラにて撮像した画像から、乗員から見て前記ディスプレイの位置に対応する部分の画像を切り出して前記ディスプレイに表示するステップと、
前記切り出した画像の色情報を取得するステップと、
前記背景色情報取得部にて取得した色情報に対して、所定の閾値以上の色差を有する表示色を決定するステップと、
前記ディスプレイに、前記表示色を用いて前記情報を重畳して表示するステップと、
を実行させるプログラム。
【発明の詳細な説明】
【技術分野】
【０００１】
本発明は、車両のフロントガラスなどに情報を表示する装置に関する。
【背景技術】
【０００２】
近年、自動車内における情報提示方法として、ヘッドアップディスプレイ（ＨＵＤ）、または、ウィンドシールドディスプレイ（ＷＳＤ）等が提案されている。これらは自動車を運転中のドライバが、前方から視線をあまり動かさないで見ることができる場所に情報を表示するので、安全に情報提供を行うことができる。
【０００３】
特許文献１は、異なった場所に投影させる複数の画像の明るさを適正に調整する車両用表示装置の発明を開示している。この発明では、車外照度計によって検出された照度ｏと車内照度計によって検出された照度ｉに基づき、ＨＵＤの輝度レベルを調整している。具体的には、照度ｏが照度ｉより大きい場合には、昼間の逆光状態と判断し、照度ｏに対応してＨＵＤの表示輝度レベルｈを相対的に高くする（特許文献１、段落［００２３］）。
【先行技術文献】
【特許文献】
【０００４】
【特許文献１】特開２０１１−１１１１２３号公報
【発明の概要】
【発明が解決しようとする課題】
【０００５】
上述した特許文献１では、車外照度と車内照度の検出値を用いてＨＵＤへの表示輝度レベルを調整しているが、明るさだけを考慮しても必ずしも見やすい表示を行えるとは限らなかった。
【０００６】
例えば、舗装された道路を走行している場合とそうでない場合とでは、フロントガラスの向こう側に見える背景が全く違うので、舗装された道路で見やすい表示であっても舗装されていない道路では見づらいということがあり得る。また、例えば、雪道においては黄色の表示が見づらいことや、道路が濡れて前方車両のテールランプが反射する場合には、テールランプと同じ色の表示が見にくいことがあった。
【０００７】
このように情報表示が見やすいかどうかは、明るさだけでは判断することができず、照度に基づく従来技術は、必ずしも見やすい表示を行えないという課題があった。そこで、本発明は上記背景に鑑み、情報を見やすく表示できる情報表示装置を提供することを目的とする。
【課題を解決するための手段】
【０００８】
本発明の情報表示装置は、車両の窓の所定の表示領域に情報を投影する投影装置と、乗員が前記表示領域を通して見る景色を撮像するカメラと、前記カメラにて撮像した画像の中で前記表示領域に対応する部分の色情報を取得する背景色情報取得部と、前記背景色情報取得部にて取得した前記色情報に対して、所定の閾値以上の色差を有する表示色を決定する表示色決定部と、前記投影装置を制御して、前記表示領域に、前記表示色を用いて前記情報を投影する表示制御部とを備える。
【０００９】
本発明者らは、外部環境によって変わる背景の景色にかかわらず、情報を見やすく表示するための方法について鋭意研究した結果、車両の窓に表示される情報の識別率は、背景色と情報の表示に用いられた色との色差に関係することを突き止めた。本発明者らは、この知見に基づいて、本発明を完成させた。本発明によれば、車両の窓には、昼夜の別や天候、舗装の状態などにかかわらず、背景色と所定の閾値以上の色差を有する表示色を使って情報が表示されるので、外部環境の変化によらず、見やすい色で情報を表示できる。
【００１０】
本発明の情報表示装置は、車両のピラーに設けられたディスプレイと、乗員から見て前記ピラーの方向にある景色を撮像するカメラと、前記カメラにて撮像した画像から、前記乗員から見て前記ディスプレイの位置に対応する部分の画像を切り出して前記ディスプレイに表示する表示制御部と、前記切り出した画像の色情報を取得する背景色情報取得部と、前記背景色情報取得部にて取得した色情報に対して、所定の閾値以上の色差を有する表示色を決定する表示色決定部とを備え、前記表示制御部は、前記ディスプレイに、前記表示色を用いて前記情報を重畳して表示する構成を有する。
【００１１】
この構成により、ディスプレイに表示される外部の景色の画像と所定の閾値以上の色差を有する表示色を使って情報が表示されるので、外部環境の変化によらず、見やすい色で情報を表示できる。
【００１２】
本発明の情報表示装置において、前記表示色決定部は、前記表示色として、前記背景色情報取得部にて取得した色情報に対して１０１以上の色差を有する色を決定してもよい。
【００１３】
図１は、本発明者らが行った一つの実験の結果を示す図である。この実験は、２つの色の色差がどのくらい近いと当該２つの色を混同してしまうか、どのくらい離れると当該２つの色を区別できるかを調べることにより、２つの色が重なった場合にそこに表示される情報を容易に識別することができる色差を調べることを目的としている（車両で用いる表示なので、見てすぐに識別できなければならない）。この実験は、ＨＵＤに１次色（赤、青、緑）、２次色（黄色、水色、ピンク）、３次色（赤橙、橙黄、黄緑、青緑、青紫、赤紫）で表示した文字を１秒間表示し、１〜５秒のランダムな時間が経過した後、同じあるいは異なる色を使って文字を表示して、同じ色だったか異なる色だったかを答えてもらい、その正解率を測定した。実験は、５名の被験者に対し、１２０問ずつ質問をした。図１は、色差と識別結果の関係を示している。図１に見られるように、色差が１０１以上になると極めて良好な識別結果が得られ、ＨＵＤ等のようにフロントガラスに情報を表示する場合には、色差が１０１以上であることが好適であることが分かった。
【００１４】
本発明の情報表示装置において、前記表示色決定部は、前記表示色のＬ値ｆｇＬ、ａ値ｆｇａ、ｂ値ｆｇｂを、前記背景色情報のＬ値ｂｇＬ、ａ値ｂｇａ、ｂ値ｂｇｂを用いて、次の式で求めてもよい。
【数１】
2014015127.tif 000003
【００１５】
このような数式を用いることにより、背景色の情報に応じて、識別率の高い表示色を簡単に求めることができる。
【００１６】
本発明の情報表示装置において、前記表示色決定部は、背景色と所定の閾値以上の色差を有する複数の表示色の組合せを求め、優先度の高い情報に対して背景色との色差の大きい表示色を割り当て、優先度の低い情報に対して背景色との色差の小さい表示色を割り当ててもよい。
【００１７】
すぐに気が付いてほしい優先度の高い情報の場合には、背景色との色差の大きい色を用いることで、より見やすい態様で情報を表示することができる。ここで、表示色を規定する基準としてはＬａｂ値を用いることができ、例えば、所定の閾値は１０１とすることができる。
【００１８】
本発明の情報表示装置は、ＲＧＢ値とＬａｂ値とを変換するテーブルを有し、前記表示色決定部および前記表示制御部は、前記テーブルを参照してＲＧＢ値とＬａｂ値とを変換してもよい。
【００１９】
このようにＲＧＢ値とＬａｂ値とを変換するテーブルを有することにより、ＲＧＢ値とＬａｂ値の相互の変換を迅速に行うことができる。
【００２０】
本発明の情報表示方法は、情報表示装置によって車両の窓の所定の表示領域に情報を投影する方法であって、前記情報表示装置が、乗員が前記表示領域を通して見る景色をカメラで撮像するステップと、前記情報表示装置が、前記カメラにて撮像した画像の中で前記表示領域に対応する部分の色情報を取得するステップと、前記情報表示装置が、取得した前記色情報に対して、所定の閾値以上の色差を有する表示色を決定するステップと、前記情報表示装置が、前記表示領域に前記表示色を用いて前記情報を投影するように投影装置を制御するステップとを備える。
【００２１】
本発明の情報表示方法は、情報表示装置によって車両のピラーに設けられたディスプレイに情報を表示する方法であって、前記情報表示装置が、乗員から見て前記ピラーの方向にある景色をカメラで撮像するステップと、前記情報表示装置が、前記カメラにて撮像した画像から、乗員から見て前記ディスプレイの位置に対応する部分の画像を切り出して前記ディスプレイに表示するステップと、前記情報表示装置が、前記切り出した画像の色情報を取得するステップと、前記情報表示装置が、前記背景色情報取得部にて取得した色情報に対して、所定の閾値以上の色差を有する表示色を決定するステップと、前記情報表示装置が、前記ディスプレイに、前記表示色を用いて前記情報を重畳して表示するステップとを備える。
【００２２】
本発明のプログラムは、車両の窓の所定の表示領域に情報を投影するためのプログラムであって、カメラと投影装置とを備えたコンピュータに、乗員が前記表示領域を通して見る景色を前記カメラで撮像するステップと、前記カメラにて撮像した画像の中で前記表示領域に対応する部分の色情報を取得するステップと、取得した前記色情報に対して、所定の閾値以上の色差を有する表示色を決定するステップと、前記表示領域に前記表示色を用いて前記情報を投影するように投影装置を制御するステップとを実行させる。
【００２３】
本発明のプログラムは、車両のピラーに設けられたディスプレイに情報を表示するためのプログラムであって、カメラを備えたコンピュータに、乗員から見て前記ピラーの方向にある景色を前記カメラで撮像するステップと、前記カメラにて撮像した画像から、乗員から見て前記ディスプレイの位置に対応する部分の画像を切り出して前記ディスプレイに表示するステップと、前記切り出した画像の色情報を取得するステップと、前記背景色情報取得部にて取得した色情報に対して、所定の閾値以上の色差を有する表示色を決定するステップと、前記ディスプレイに、前記表示色を用いて前記情報を重畳して表示するステップとを実行させる。
【発明の効果】
【００２４】
本発明によれば、外部環境の変化によらず、見やすい態様で、車両の窓に情報を表示できるという効果を有する。
【図面の簡単な説明】
【００２５】
【図１】前景と背景の色差と識別率との関係を示す実験結果である。
【図２】第１の実施の形態の情報表示装置の構成を示す図である。
【図３】フロントガラスに情報を投影した様子を示す図である。
【図４】第１の実施の形態の情報表示装置による表示色変更の動作を示すフローチャートである。
【図５】第２の実施の形態の情報表示装置の構成を示す図である。
【図６】Ａピラーに設けられたディスプレイを示す図である。
【図７】第３の実施の形態の情報表示装置の構成を示す図である。
【図８】第３の実施の形態の情報表示装置による表示色変更の動作を示すフローチャートである。
【発明を実施するための形態】
【００２６】
次に、本発明の実施の形態の情報表示装置について図面を参照して説明する。以下の実施の形態では、自動車に搭載して用いられる情報表示装置を例として説明するが、車両に搭載して用いられるものであれば自動車に限定されず、例えば、バス、オートバイ、電車等にも適用することが可能である。
【００２７】
（第１の実施の形態）
図２は、第１の実施の形態の情報表示装置１の構成を示す図である。情報表示装置１は、車両のフロントガラスに投影することによって情報を表示する投影装置１０と、車両前方を撮像するカメラ１２と、情報の表示を制御する制御部１４とを有している。
【００２８】
図３は、投影装置１０によってフロントガラスに情報を投影表示した例を示す図である。図３では、１００ｍ先を右折せよ、という案内情報Ａが表示されている（なお、図３では便宜上、点線で囲みをつけているが、実際には点線は表示されない）。このように、投影装置１０によって情報が表示されるとフロントガラスの一部がディスプレイを構成するが、これはヘッドアップディスプレイ、または、ウィンドシールドディスプレイと呼ばれる。また、所定の条件に応じてメーターを表示する機能として用いる場合には、ポップアップメーターと呼ばれることもある。
【００２９】
本明細書では、フロントガラスの中で、情報が表示される領域を「表示領域」と呼んでいる。車両前方を撮影するカメラ１２は、乗員から見て表示領域の方向を撮像視野に含んでいる。なお、本実施の形態ではフロントガラスに表示する例を挙げているが、本発明は、必ずしもフロントガラスに情報を表示する場合に限らず、サイドガラスやリアガラスに情報を表示する場合にも適用できる。
【００３０】
制御部１４は、撮像制御部１６と、背景色情報取得部１８と、表示色決定部２０と、表示制御部２２とを有している。撮像制御部１６は、カメラ１２を制御して撮像のタイミング等を制御する機能を有している。
【００３１】
背景色情報取得部１８は、乗員が表示領域を通して見る景色の色情報を取得する機能を有している。乗員が表示領域を通して見る景色が表示される情報の背景となるので、この色情報を取得するものである。具体的な処理として、背景色情報取得部１８は、まず、乗員の眼の高さと表示領域の位置とカメラ１２の画角とに基づいて、カメラ１２の撮像画像の中から、乗員が表示領域を通して見ている部分に対応する画像を特定する。
【００３２】
続いて、背景色情報取得部１８は、特定した部分を撮像画像から切り出し、切り出された画像を構成する各画素のＲＧＢ値のヒストグラムを生成し、特定した部分に最も多く存在するＲＧＢ値を求める。背景色情報取得部１８は、ＲＧＢ値をＬａｂ値に変換する。これにより、表示領域の背景色情報を取得することができる。
【００３３】
なお、ＲＧＢ値とＬａｂ値との変換については、ＲＧＢ値とＬａｂ値との対応関係を示す変換テーブルを利用してもよい。この場合、背景色情報取得部１８は、変換テーブルからＲＧＢ値に対応するＬａｂ値を読み出すことにより変換を行う。これにより、ＲＧＢ値からＬａｂ値への変換のための計算処理を軽減することができる。
【００３４】
表示色決定部２０は、背景色情報取得部１８にて取得した背景色情報に基づいて、情報を表示する際に用いる表示色を決定する機能を有している。表示色決定部２０は、背景色の色情報をそれぞれＬ値ｂｇＬ、ａ値ｂｇａ、ｂ値ｂｇｂとした場合、情報の色情報Ｌ値ｆｇＬ、ａ値ｆｇａ、ｂ値ｆｇｂを次の算式を用いて求める。
【数２】
2014015127.tif 000004
【００３５】
ここで、Ｌ値、ａ値、ｂ値の範囲は、以下のとおりである。
０≦Ｌ≦１００
−１３４≦ａ≦２２０
−１４０≦ｂ≦１２２
【００３６】
この計算式を用いて求められた表示色は、背景色との色差が１０１以上となる。なお、表示色決定部２０は、背景色情報取得部１８にて取得した背景色情報と現在使っている表示色を決定する際に用いた背景色情報とに所定の閾値以上の差異がある場合に、情報の表示色を決定する処理を行い、差異が所定の閾値未満の場合には、現在の表示色をそのまま用いることとしてもよい。これにより、表示色を決定する処理を、背景が大きく変化したときだけ行うようにでき、表示色を求める計算処理の負担を軽減できる。
【００３７】
表示制御部２２は、投影装置１０を制御し、表示領域に情報を投影表示する機能を有する。表示制御部２２は、表示色決定部２０にて決定された表示色を用いて、情報を表示する。投影装置１０は、ＲＧＢ値を用いて色を指定するので、表示制御部２２は、表示色のＬａｂ値に対応するＲＧＢ値を求め、対応するＲＧＢ値を用いて情報を表示する。
【００３８】
上記に説明した情報表示装置１の制御部１４を構成するハードウェアは、ＣＰＵ、ＲＡＭ、ＲＯＭ、入力部、出力部を有するコンピュータである。ＲＯＭに記憶された情報表示用のプログラムを実行することにより、制御部１４の各機能を実現することができる。このようなプログラムも本発明の範囲に含まれる。
【００３９】
図４は、第１の実施の形態の情報表示装置１による表示色の変更の動作を示すフローチャートである。情報表示装置１は、図４のフローチャートに示す動作によって情報の表示色を外部環境に応じて常時変化させるのと平行して、必要なときにＨＵＤに情報を表示する。
【００４０】
情報表示装置１は、まず、カメラ１２にて車両前方を撮像し（Ｓ１０）、撮像した画像の中から、乗員が表示領域を通して見る景色の色情報、すなわち、背景色情報を取得する（Ｓ１２）。情報表示装置１は、現在の表示色を決定した際の背景色情報と比較して所定の閾値以上の差異があるか否かを判定する（Ｓ１４）。この結果、所定の閾値以上の差異がないと判定された場合には（Ｓ１４でＮＯ）、カメラ１２で車両前方を撮像する処理（Ｓ１０）に戻って上記した処理を繰り返す。
【００４１】
取得した背景色情報が、現在の表示色を決定した際の背景色情報と比較して所定の閾値以上の差異があると判定された場合には（Ｓ１４でＹＥＳ）、情報表示装置１は、表示色を決定する（Ｓ１６）。具体的には、上述したとおり、式（１）を使って背景色のＬａｂ値から表示色のＬａｂ値を計算する。情報表示装置１は、情報の表示色を決定された表示色に変更する（Ｓ１８）。
【００４２】
以上、第１の実施の形態の情報表示装置１の構成および動作について説明した。第１の実施の形態の情報表示装置１は、カメラ１２にて撮像した画像を解析することによって、情報表示を行う表示領域の背景色の色情報を求め、背景色情報に基づいて決定した表示色を用いて情報表示を行うので、車両の外部環境が変化しても、見やすい態様で情報を表示することができる。
【００４３】
（第２の実施の形態）
図５は、第２の実施の形態の情報表示装置２の構成を示す図である。第２の実施の形態の情報表示装置２の基本的な構成は第１の実施の形態と同じであるが、第２の実施の形態では情報をフロントパネルに投影表示するのではなく、ディスプレイ２４に表示する。
【００４４】
図６は、情報表示装置２が有するディスプレイ２４の外観を示す図である。ディスプレイ２４は、ドライバ側のＡピラーに設けられている。ディスプレイ２４には、常時、ドライバからＡピラーの方向の車外の状況が表示される。図６では犬の散歩をしている人がＡピラーに隠れているが、Ａピラー上のディスプレイ２４に表示されている。つまり、Ａピラーによって遮られている外界の景色をディスプレイ２４に表示することにより、あたかもＡピラーを透視しているように見せている。以下、車外の状況を表示した画像を「背景画像」と呼ぶ。
【００４５】
第２の実施の形態の情報表示装置２では、背景画像の背景色情報を取得し、背景色情報に基づいて、情報の表示色を決定する。以下、第２の実施の形態の情報表示装置２について、第１の実施の形態と異なる点を中心に説明する。
【００４６】
カメラ１２は、車両の斜め前方（ディスプレイ２４が設けられたＡピラーのある方向）を撮像するように設置されている。表示制御部２６は、カメラ１２にて撮像した撮像画像から、乗員から見てＡピラーの位置に対応する領域を切り出し、切り出した領域の画像（背景画像）をディスプレイ２４に表示する機能を有している。
【００４７】
背景色情報取得部１８は、切り出した背景画像の色情報を取得する機能を有している。色情報の計算の仕方は、第１の実施の形態の場合と同じである。表示色決定部２０による表示色の決定の仕方、および、決定された表示色を用いて情報を表示する構成については、第１の実施の形態の場合と同じである。図６では、ディスプレイ２４に、背景画像に重畳して、注意を促すマークを表示している。
【００４８】
第２の実施の形態の情報表示装置２による情報の表示色変更の動作は、第１の実施の形態と同じである。
【００４９】
以上、第２の実施の形態の情報表示装置２の構成および動作について説明した。第２の実施の形態の情報表示装置２は、第１の実施の形態と同様に、車両の外部環境が変化しても、見やすい態様で情報を表示することができる。
【００５０】
（第３の実施の形態）
図７は、第３の実施の形態の情報表示装置３の構成を示す図である。上述した第１の実施の形態及び第２の実施の形態では、情報表示のための表示色が１色である例について説明したが、第３の実施の形態では、色差１０１以上の複数の色を表示色候補として準備しておき、表示する情報の優先度に応じて、表示色を変更する例について説明する。
【００５１】
第３の実施の形態の情報表示装置３の基本的な構成は第１の実施の形態と同じであるが、第３の実施の形態では、制御部１４は、背景色情報に基づいて複数の表示色を選択する表示色候補決定部２８と、表示色候補の中から情報の優先度に合った表示色を決定する表示色決定部３０とを有している。
【００５２】
表示色候補決定部２８は、背景色情報と色差が１０１以上離れている表示色の候補を決定する機能を有する。表示色の候補を決定する方法はいくつか考えられるが、例えば、ランダムにＬａｂ値を選び、背景色のＬａｂ値との色差が１０１以上あるか否かを判定し、１０１以上である場合には、当該Ｌａｂ値を表示色の候補として決定する方法を採用することができる。
【００５３】
表示色決定部３０は、表示すべき情報の優先度に応じて、表示色候補の中から表示色を決定する。優先度が高い情報の場合には、背景色との色差の大きい色を表示色として決定し、優先度が低い情報の場合には、背景色との色差の小さい色を表示色として決定する。表示制御部２２は、背景画像を表示すると共に、決定された表示色を用いて情報を表示する。
【００５４】
図８は、第３の実施の形態の情報表示装置３による表示色の変更の動作を示すフローチャートである。情報表示装置３は、図８に示すフローチャートによって情報の表示色を外部環境に応じて常時変化させるのと平行して、必要なときにＨＵＤに情報を表示する。
【００５５】
情報表示装置３は、まず、カメラ１２にて車両前方を撮像し（Ｓ１０）、撮像した画像の中から、乗員が表示領域を通して見る景色の色情報、すなわち、背景色情報を取得する（Ｓ１２）。情報表示装置３は、現在の表示色を決定した際の色情報と比較して所定の閾値以上の差異があるか否かを判定する（Ｓ１４）。この結果、所定の閾値以上の差異がないと判定された場合には（Ｓ１４でＮＯ）、カメラ１２で車両前方を撮像する処理に戻って上記した処理を繰り返す。
【００５６】
取得した背景色情報が、現在の表示色を決定した際の色情報と比較して所定の閾値以上の差異があると判定された場合には（Ｓ１４でＹＥＳ）、情報表示装置３は、候補となる複数の表示色を決定する（Ｓ２０）。具体的には、上述したとおり、ランダムに選んだＬａｂ値が背景色のＬａｂ値と色差が１０１以上であるかどうかを判定し、１０１以上の色差がある場合に、表示色の候補として決定する。
【００５７】
続いて、情報表示装置３は、表示すべき優先度に応じて、表示色の候補の中から表示色を決定する（Ｓ２２）。優先度が高い場合には、背景色との色差の大きい候補を表示色として決定し、優先度が低い場合には、背景色との色差の小さい候補を表示色として決定する。情報表示装置３は、情報の表示色を決定された表示色に変更する（Ｓ２４）。
【００５８】
以上、第３の実施の形態の情報表示装置３の構成および動作について説明した。第３の実施の形態の情報表示装置３は、上述した実施の形態と同様に、車両の外部環境が変化しても、見やすい態様で情報を表示することができる。
【００５９】
また、第３の実施の形態の情報表示装置３は、優先度に応じて情報の表示色を決定するので、すぐにドライバに気付かせたい優先度の高い情報がある場合には、背景との色差の大きい目立つ態様で表示することにより、ドライバに気づきを促すことができる。
【００６０】
以上、本発明の実施の形態の情報表示装置について実施の形態を挙げて詳細に説明したが、本発明は上述した実施の形態に限定されるものではなく、本発明の本質を逸脱しない範囲で様々な変更を加えることが可能である。
【産業上の利用可能性】
【００６１】
本発明は、外部環境の変化によらず、見やすい色で、車両の窓に情報を表示できるという効果を有し、車両で用いられるＨＵＤ、ＷＳＤ等として有用である。
【符号の説明】
【００６２】
１〜３  情報表示装置
１０  投影装置
１２  カメラ
１４  制御部
１６  撮像制御部
１８  背景色情報取得部
２０  表示色決定部
２２  表制御部
２４  ディスプレイ
２６  表示制御部
２８  表示色候補決定部
３０  表示色決定部
【図１】
2014015127.tif 000006
【図２】
2014015127.tif 000007
【図３】
2014015127.tif 000008
【図４】
2014015127.tif 000009
【図５】
2014015127.tif 000010
【図６】
2014015127.tif 000011
【図７】
2014015127.tif 000012
【図８】
2014015127.tif 000013